(57)【要約】【課題】蝶番で開閉する扉の扉錠の破壊やこじ開けによる室内への侵入に対しては、二重の施錠機構を持つ鎌付扉錠が、防犯性能上有効である。しかし従来から設置されている鎌付でない扉錠との交換がデッドボルト、サムターン、デッドボルト受けなどの寸法的な制約で、交換可能な鎌付扉錠の提案が困難であった。この発明は、従来の鎌付でない扉錠と交換可能な、簡単な構成で安価に製造できる、確実に作動する鎌機構を内蔵した鎌付電気扉錠を提供する。【解決手段】デッドボルトの押し込み異常作動防止のスライダ機構をデッドボルトの外周部に設けて、デッドボルト内に鎌機構の配置空間を確保し、電動操作では、モータから歯車列とダルマギァでスライダ機構を作動させ、デッドボルトの施開錠動作と鎌部材の作動を行う。手動操作では、手動で回転できるサムターンに直結したダルマギァでスライダ機構に作動させる様に構成する。【選択図】  図１
2007070932.tif 000002
【特許請求の範囲】
【請求項１】
モータ・ユニットと遊星歯車ユニットからなる電動駆動源と、サムターン・ユニットからなる手動駆動源を持ち、デッドボルト・ユニットを駆動するスライダ・ユニットを有し、サムターン・ユニットはダルマギァと直結され、手動操作時は、サムターンに直結されたダルマギァの作動でスライダ・ユニットを作動させ、施開錠するように構成され、電動操作時は、モータの回動で、ダルマギァを回動させ施開錠するように構成された、電動と手動を併用する鎌付電気扉錠において、スライダ・ユニットがデッドボルトの外周部を摺動するように配置した事を特徴とするデッドボルトの構成。
【請求項２】
デッドボルトの施錠位置での押し込み防止をつかさどるロッキング爪の係止解除を行うために、ロッキング爪と関連する連動板が、ダルマギァと噛合っている中間歯車、スイッチ歯車を介して、スイッチ歯車に設けられたカムによって動かされる様に構成された、特許請求項１記載の、鎌付電気錠のデッドボルト係止解除の構成。
【発明の詳細な説明】
【技術分野】
【０００１】
本件発明は、蝶番で開閉する扉の施錠用扉錠で、特に従来設置されていた鎌のない錠と、サムターン、デッドボルト、デッドボルト受け側などの位置寸法を変更しないで、交換できることを可能とした、鎌機構を内蔵して、防犯性能を向上した鎌付電気駆動錠の構成に関する。
【背景技術】
【０００２】
従来の電気扉錠では、デッドボルト内に異常操作防止機構を配置しているため、デッドボルト内の配置空間が狭くなり、鎌機構の内蔵が困難であった。また、デッドボルト内に機構配置する事で、デッドボルトの断面形状面積が少なくなり、こじ開け破壊などによるデッドボルトの耐強度も低かった。また、防犯性能向上のため、鎌機構を付加すると鎌機構配置の空間を必要とするために、従来設置されていたサムターン、デッドボルト、デッドボルト受けなどの、位置関係の制約のために、代替可能な扉錠の提供が困難であった(例えば、特許文献１参照)
【特許文献１】特許第３５３１９８５号
【発明の開示】
【発明が解決しようとする課題】
【０００３】
従来の蝶番で開閉する扉に用いる防犯性能を向上した鎌機構内蔵の電気扉錠には、上述の問題点があり、従来設置されていた扉錠と交換する事が困難であった。
【０００４】
本件発明は、従来設置されていた鎌のない錠前の、サムターン、デッドボルト、デッドボルト受けなどの、位置関係の制約のまま、その鎌のない錠前と、ただちに、交換可能な、デッドボルトと、防犯性向上に効果のある鎌部材を、電動と手動で駆動する機構を持つ、錠前を提供することを目的としている。
【課題を解決するための手段】
【０００５】
本件発明は、上記目的を達成するために、デッドボルトの押し込み異常作動防止のスライダー機構をデッドボルトの外周部に設けて、デッドボルト内に鎌機構の配置空間を確保し、電動操作では、モータからの歯車列と連結回転するダルマギァで、スライダー機構を作動させ、デッドボルトの施開錠動作と鎌部材の作動を行う。手動操作では、サムターンに同軸の直結したダルマギァを直接回転させて、スライダー機構を介してデッドボルトの施開錠動作を行う様に構成する。
【０００６】
また、デッドボルト内に確保した空間に鎌部材を配置し、デッドボルトの作動に連動して、その鎌部材が作動出来るように、シャーシに鎌部材の回動支軸を、デッドボルトには鎌部材を作動させる作動軸を設ける。
【０００７】
また、デッドボルトの押し込み防止には、ロッキング部材を別途設けて、ダルマギァと関係しているスイッチ歯車の回動を利用しロッキング部材の係止を解除するように配置構成する。
【０００８】
異常作動の対処には、スライダー機構がデッドボルトとの関連で、その役目を担うように配置構成する。
【発明の効果】
【０００９】
上述した様に、本件発明の電動と手動を併用する鎌付電気扉錠は、従来の鎌のない扉錠に由来するサムターン、デッドボルトなどの配置位置を変更しないで、従来の扉の錠前取付のためにあった工作（穴や切り欠きなど）をそのまま用いて、従来の鎌のない扉錠と鎌付扉錠の交換が、ただちに可能となり、鎌機構を内蔵することによって、従来の扉錠より防犯性能が向上する利点がある。
【発明を実施するための最良の形態】
【００１０】
本件発明の実施の形態を図１〜図１３により説明する。
【実施例】
【００１１】
図１〜図１３に示した鎌付電気扉錠は、シャーシ・ユニット１０に配置されたモータ・ユニット２０、遊星歯車ユニット３０、中間歯車ユニット４０、サムターン・ユニット５０、スイッチ歯車ユニット６０、デッドボルト・ユニット７０、ロッキング・ユニット８０を含む。
【００１２】
シャーシ・ユニット１０は図６のように、側壁を持つシャーシ１１、シャーシを覆って固定されるシャーシ蓋１２、両側壁端に固定されたアングル板１３、シャーシ１１に溶着された前面板１４、と前面板に螺子止めされる飾り板１５からなり、アングル板１３と前面板１４の同軸穴で図示していない扉の側壁面へ取り付けられる。
【００１３】
モータ・ユニット２０は図１０のように、減速歯車付モータ２１、モータ軸に固定された小傘歯車２２、減速歯車付モータ２１をシャーシ１１へ位置決めして固定するモータ受け台２３と、モータカバー２４を含み、遊星歯車ユニット３０に対してシャーシ１１の所定位置へ精度よく固定される。
【００１４】
遊星歯車ユニット３０は図９のように、共軸一体に形成された大傘歯車３１と平歯車３２、共軸で、回動可能な遊星歯車台板３４に、平歯車３２と噛合う様に遊星歯車軸３５で軸支された二つの遊星歯車３３を含み、シャーシ１１に固着された歯車軸１６で回動可能に支持される。遊星歯車３３と遊星歯車台板３４には、それぞれ回転を抑制する摩擦ばね３６，３７が設けられている。
【００１５】
中間歯車ユニット４０は図１３のように、サムターン・ユニット５０とスイッチ歯車ユニット６０を駆動する歯車を持つ中間歯車４１、中間歯車４１に噛合う遊星歯車３３を切り替えるクラッチ板４５、中間歯車４１とシャーシ１１の間で作用するアクションバネ４９、を含みブッシュ４４を固定した中間歯車４１とクラッチ板４５が、シャーシ１１に固設した中間歯車軸１７で回動可能に軸支される。
【００１６】
クラッチ板４５は、中間歯車４１の作動両端域で中間歯車４１に設けた凹溝端部で、クラッチ板４５に一体的に設けられているクラッチ板ピン４５ａを押動し、クラッチ板４５を回動させる。クラッチ板４５の回動により、クラッチ板４５の側面に設けた突起で遊星歯車台板３４を僅かに回動し、図4のように二つの遊星歯車３３を中間歯車４１に対して係脱する。
【００１７】
サムターン・ユニット５０は図８のように、シャーシ１１へ溶着され、ダルマギァ５１を軸支するダルマ受け下５２、ダルマ押え５３からなり、ダルマ受け下５２、ダルマ押え５３に設けたダルマギァストッパー５１ａによってダルマギァ５１の回転角を規制する突起を備える。
【００１８】
スイッチ歯車ユニット６０は図１１のように、シャーシ１１に固設したスイッチ歯車軸１８に回動自在に嵌合されブッシュ６２で浮き上がらないよう案内されている。また、スイッチ歯車６１は、円周部にカム６１ａが設けられ、そのカム６１ａは、図２〜図４のようにロッキング爪８１を作動する連動板８４と関連ずけられている。
【００１９】
デッドボルト・ユニット７０は図７のように、デッドボルト７１の外周部に、上スライダー７２ａ、下スライダー７２ｂが、凹形状部分で溶着されて一体化した物を凹形状部分の他端側でスライダー支柱７３を螺子７３ａで、上下スライダー７２ａ，７２ｂに取り付けた状態で、デッドボルト７１の穴部にデッドバネ７４を入れてデッドバネ押え７５を挿入しデッド案内ピン７６でデッドボルト７１に摺動可能なように組み付けている
【００２０】
デッドボルト・ユニット７０には図７のように、鎌作動軸７７が加締られている。その鎌作動軸７７には、鎌ローラー７７ａが嵌め込まれて、鎌ユニット７８の作動をスムースにする働きをしている。上記鎌ローラー７７ａには、鎌ユニット７８が組み込まれて、デッドボルト・ユニット７０を形成している。
【００２１】
鎌ユニット７８の穴には、図示しないシャーシに嵌め込まれた柱に嵌合してデッドボルト・ユニット７０の作動と関連して鎌ユニット７８が回動する様に構成されている。鎌ユニット７８は、上鎌板、下鎌板、中間板で構成され、組立鋲で一体化されている。そのユニットの構成は、図面の様に構成する制約はなく、焼結合金などで一体構成することも可能である。
【００２２】
ロッキング・ユニット８０は図１２のように、シャーシ１１に固設されたロッキング爪支柱８２に、ロッキング爪８１が嵌め込まれている。また、ロッキング爪支柱８２には、ロッキング爪８１を時計方向に回動力を与えるバネ８３が掛けられている。この、ロッキング爪は、図４のようにデッドボルト７１が施錠位置に移動した時、こじ開けなどによるデッドボルト７１の押し込み防止の役目を担っている。係止解除については、スイッチ歯車６１の回動に連結している連動板８４によって行われる。
【００２３】
この扉錠は、施錠（図４）または開錠状態（図２）では、ダルマギァ５１が、ダルマ受け下５２、ダルマ押え５３のダルマギァストッパー５１ａで止まる直前に、中間歯車ユニット４０とシャーシ１１の間で急激に作用するアクションバネ４９の押動力も加わって、中間歯車４１の溝部端面で、クラッチ板４５のクラッチ板ピン４５ａを押動する事で、クラッチ板４５が作動する。クラッチ板４５の側面に設けた突起で遊星歯車台板３５を僅かに回動し、二つの遊星歯車３３が、中間歯車４１と係合しない中立状態を確実に保つ。
【００２４】
手動操作で図２の開錠状態から図４のようにサムターンを時計方向に回すと、ダルマギァ５１も同方向に回動する。ダルマギァ５１の腕部が、スライダーを矢印（ト）方向に押圧する。すると、デッドボルト・ユニット７０も同方向に摺動し施錠状態になる。その時、デッドボルト・ユニット７０の摺動案内として、デッドボルト案内部材７９には、シャーシ１１の開口部近傍にデッドボルト７１のガイドをする突起、デッドボルトガイド７９ａが設けられている。
また、ダルマギァ５１の回転に伴って、ダルマギァ５１に噛合っている中間歯車４１を介して、スイッチ歯車６１が回され、スイッチ歯車６１のカム６１ａに関連している連動板８４がロッキング爪バネ８３の力でカム６１ａにフォローする様に作動すると共に、ロッキング爪８１を、デッドボルト７１が施錠位置になった時、デッドボルト７１の切り欠き部に結合し、デッドボルト７１の押し込みを防止する様に構成されている。デッドボルト７１の移動に連動し、鎌部材７８がデッドボルト７１の施錠直前に回動し図示していないストライカーと噛合う様に構成されている。
【００２５】
図５のようにデッドボルト７１が、固定枠の施錠穴（ストライカー）に突出しない異常状態でも、ダルマギァ５１の回動でスライダー部材は、デッドボルト７１上を（ト）方向に移動し、デッドバネ７４をチャージした状態となる。デッドボルト７１が施錠穴に合致して異常状態が解消されると、図４のようにデッドバネ７４の復元力によってデッドボルト・ユニット７０が施錠位置へ駆動される。そうして、ロッキング爪８１も回動して、デッドボルト７１の押し込みを防止する様に係止位置へ回動する。
【００２６】
施錠状態（図４）から開錠状態（図２）へは、上述の逆作動になる。サムターンを反時計方向に回すと、ダルマギァ５１も同方向に回動し、ダルマギァ５１の腕部でスライダー部材を作動させるまでの回動で、中間歯車４１、スイッチ歯車６１を回す。スイッチ歯車６１と関連している連動板８４がスイッチ歯車６１のカム６１ａで押される。連動板８４の作動によってロッキング爪８１とデッドボルト７１の係止が解除される。更に、ダルマギァ５１を回すとスライダー部材、デッドボルト７１を強制的に矢印（ト）方向と逆方向に駆動し開錠状態となる。
【００２７】
次に、電動操作の場合について説明する。開錠状態（図２）でモータ２１に通電され、図３のようにモータ回転軸に固定された小傘歯車２２の回転で、歯車ユニット３０の大歯車３１と、平歯車３２が反時計方向に回転すると、摩擦バネ３７の作用（図９）で遊星歯車台板３４も反時計方向に回動して、中間歯車ユニット４０と同軸に嵌合っているクラッチ板４５に接触し、適切な軸間距離を保って遊星歯車３３が中間歯車４１に噛合い、時計方向に回動する遊星歯車３３で中間歯車４１を反時計方向に回動する。中間歯車４１と噛合っているダルマギァ５１を時計方向に回動する。ダルマギァ５１の腕部が、スライダー部材を手動動作の場合と同じ様に動かす事でデッドボルト・ユニット７０を施錠方向に駆動する。動作の詳細については、手動操作の場合と同じであるため説明を省略する。施錠状態になる直前には、図４のようにアクションバネ４９の押動力も加わって、中間歯車４１の溝端面が、クラッチ板４５に設けたクラッチ板ピン４５ａを押し、クラッチ板４５を反時計方向に回動させる。そのクラッチ板４５の回動でクラッチ板４５側面に設けた突起が、遊星歯車台板３４を僅かに時計方向に回動させられる事で、遊星歯車３３は、中間歯車４１との噛合いを外し、中立状態に確実に保つと同時に、モータ２１への通電を、中間歯車４１によって動かされる図示していないスイッチ機構で遮断する。
【００２８】
施錠状態からの電動操作では、モータ２１が開錠状態の場合とは逆に回転する様に通電され、歯車ユニット３０の大傘歯車３１が時計方向に回転し、もう一方の遊星歯車３３と噛合う中間歯車４１を時計方向に回動し、手動操作時と同じ作動でデッドボルト７１を開錠位置へ駆動する。
【図面の簡単な説明】
【００２９】
【図１】鎌付電気扉錠の構成図
【図２】開錠状態を示す平面図
【図３】電動操作時の説明図
【図４】施錠状態を示す平面図
【図５】デッドボルトが作動出来ない異常状態の説明図
【図６】シャーシ・ユニットの構成図
【図７】デッドボルト・ユニットの構成図
【図８】サムターン・ユニットの構成図
【図９】遊星歯車ユニットの構成図
【図１０】モータ・ユニットの構成図
【図１１】スイッチ歯車ユニットの構成図
【図１２】ロッキング・ユニットの構成図
【図１３】中間歯車ユニットの構成図
【符号の説明】
【００３０】
１０    シャーシ・ユニット
１１    シャーシ
１２    シャーシ蓋
１３    アングル板
１４    前面板
１５    飾り板
１６    歯車軸
１７    中間歯車軸
１８    スイッチ歯車軸
２０    モータ・ユニット
２１    減速歯車付モータ
２２    小傘歯車
２３    モータ受け台
２４    モータカバー
３０    遊星歯車ユニット
３１    大傘歯車
３２    平歯車
３３    遊星歯車
３４    遊星歯車台板
３５    遊星歯車軸
３６    摩擦ばね
３７    摩擦ばね
４０    中間歯車ユニット
４１    中間歯車
４４    ブッシュ
４５    クラッチ板
４５ａ  クラッチ板ピン
４９    アクションバネ
５０    サムターン・ユニット
５１    ダルマギァ
５１ａ  ダルマギァストッパー
５２    ダルマ受け下
５３    ダルマ押え
６０    スイッチ歯車ユニット
６１    スイッチ歯車
６１ａ  カム
６２    ブッシュ
７０    デッドボルト・ユニット
７１    デッドボルト
７２ａ  下スライダー
７２ｂ  上スライダー
７３    スライダー支柱
７３ａ  螺子
７４    デッドバネ
７５    デッドバネ押え
７６    デッド案内ピン
７６ａ  デッド案内ピンローラー
７７    鎌作動軸
７７ａ  鎌ローラー
７８    鎌ユニット
７９    デッドボルト案内部材
７９ａ  デッドボルトガイド
８０    ロッキング・ユニット
８１    ロッキング爪
８２    ロッキング爪支柱
８３    ロッキング爪バネ
８４    連動板
【図１】
2007070932.tif 000003
【図２】
2007070932.tif 000004
【図３】
2007070932.tif 000005
【図４】
2007070932.tif 000006
【図５】
2007070932.tif 000007
【図６】
2007070932.tif 000008
【図７】
2007070932.tif 000009
【図８】
2007070932.tif 000010
【図９】
2007070932.tif 000011
【図１０】
2007070932.tif 000012
【図１１】
2007070932.tif 000013
【図１２】
2007070932.tif 000014
【図１３】
2007070932.tif 000015